(57)【要約】  【課題】  床磨き時における洗浄液の飛散を確実に防止することは勿論、本体に対する飛散防止カバーの位置調整、着脱操作を簡単に行える。  【解決手段】  本体１にブラシ９を着脱自在に取付け、該本体１より下方に突出する前記ブラシ９の毛体１６，…を床面に接触させ回動させながら前記本体１に取付けた操作杆２で前記床面上を移動させるようにした床磨き機Ａに係り、横長帯状の弾性シート２０と該弾性シート２０の内面の上端全域に長手方向に沿わせて取付けた面ファスナーの雄雌材の一方材１８Ａとで飛散防止カバー１９を構成する。また、前記本体１に前記ブラシ９を取り囲む周壁１１を設け、該周壁１１全周に前記一方に対応する他方材１８Ｂを取付け、該他方材１８Ｂに前記一方材１８Ａを止着して飛散防止カバー１９の前記弾性シート２０を、ブラシ９の前記毛体１６，…を取り囲み、かつ、該毛体１６，…より下方に突出する位置に配する。【選択図】    図２
2005118095.tif 000002
【特許請求の範囲】
【請求項１】
本体にブラシを着脱自在に取付け、該本体より下方に突出する前記ブラシの毛体を床面に接触させ回動させながら前記本体に取付けた操作杆で前記床面上を移動させるようにした床磨き機において、横長帯状の弾性シートと該弾性シートの内面の上端全域に長手方向に沿わせて取付けた面ファスナーの雄雌材の一方材とで飛散防止カバーを構成し、前記本体に前記ブラシを取り囲む周壁を設け、該周壁全周に前記一方に対応する他方材を取付け、該他方材に前記一方材を止着して飛散防止カバーの前記弾性シートを、ブラシの前記毛体を取り囲み、かつ、該毛体より下方に突出する位置に配した、床磨き機の洗浄液飛散防止装置。
【発明の詳細な説明】
【技術分野】
【０００１】
本発明は、床磨き機本体にブラシを着脱自在に取付け、該本体より下方に突出する前記ブラシの毛体を床面に接触させて回動させながら前記本体に取付けた操作杆で前記床面上を移動させるようにした床磨き機の洗浄液飛散防止装置に関するものである。
【背景技術】
【０００２】
本体の外周面に、間隔を存して支持体を設け、該支持体に上下位置変位可能なスライド体を取付け、該スライド体に止着する止着具を横長帯状の飛散防止カバーの内面に並べて設けた構造のものがある（例えば、特許文献１）。
【０００３】
【特許文献１】特開２００２−３２５７１２号公報
【発明の開示】
【発明が解決しようとする課題】
【０００４】
前記従来例は、止着具をスライド体に止着して飛散防止カバーでブラシを取り囲んで洗浄液の飛散を防止するようにしたものではあるが、前記スライド体を組付けるため（飛散防止カバーを取付けるため）の支持体を本体の外周面に設けた構造のため、構造が複雑で高価であり、また、支持体がいわばスペーサとなって本体外周面と飛散防止カバーとの間に隙間が生じ、該隙間を通じて洗浄液が飛散するおそれがあり、支持体の存在は本体外周面に無用な突条が形成されることになるから、作業中、該突条が机等にぶつかるという不都合もある。そして、飛散防止カバーの上下位置の調節にはスライド体を上下に移動させて、しかも、複数個を移動させる必要があり、いずれにしても、カバーの着脱操作が煩雑である。
【０００５】
本発明は斯様な従来例の欠点に着目し、使用勝手の良好な装置を提供すべく創案したものである。
【課題を解決するための手段】
【０００６】
本体にブラシを着脱自在に取付け、該本体より下方に突出する前記ブラシの毛体を床面に接触させ回動させながら前記本体に取付けた操作杆で前記床面上を移動させるようにした床磨き機において、横長帯状の弾性シートと該弾性シートの内面の上端全域に長手方向に沿わせて取付けた面ファスナーの雄雌材の一方材とで飛散防止カバーを構成し、前記本体に前記ブラシを取り囲む周壁を設け、該周壁全周に前記一方に対応する他方材を取付け、該他方材に前記一方材を止着して飛散防止カバーの前記弾性シートを、ブラシの前記毛体を取り囲み、かつ、該毛体より下方に突出する位置に配した構成とするのである。
【発明の効果】
【０００７】
本発明によれば、本体の周面に取付けた面ファスナーの雌雄材の一方材に飛散防止カバー側の他方材を止着するだけで、洗浄液の飛散防止を期待できる装置を簡単に得られ、また、雌雄の両材の上下方向の位置を単にずらすだけでブラシの高さに対応させて飛散防止カバーの上下方向の位置調節を簡単に行え、総じて本体に対する飛散防止カバーの着脱作業を簡単に行うことができる。また、飛散防止カバーを弾性シートで構成するものであるから、洗浄作業に伴う移動中にカバーが床面に接して損傷を与えることもなく、常時、最良の飛散防止を機能する状態で当該作業を行うことができる。
【実施例】
【０００８】
図面は本発明に係る床磨き機の洗浄液飛散防止装置の一実施例を示し、図１は斜視図、図２は床磨き機の本体部の一部欠截図、図３はブラシの一部の一部欠截平面図、図４は図３のａ−ａ線断面図である。
【０００９】
本発明に係る床磨き機Ａは、本体１に操作杆２を取付け、該操作杆２の後端部に装置した把手３部分に套装函４を設け、該套装函４に収設した駆動モーター（図示省略）を、前記操作杆２を導通させた伝導軸６と減速装置７を介して前記本体１に軸線上にして設けた主軸８に連けいせしめ、該主軸８を軸として回動するブラシ９を着脱自在にして前記本体１に設けて構成し、操作杆２の中間部に設けた第二把手３Ａと前記把手３を利用して手先で持ち上げ、駆動モータを作動させて伝導軸６および減速装置７を順次経て主軸８を回動させ、該主軸８に伴う前記ブラシ９の回動により、概し床面の洗浄を行い、手先で持ち上げることによる移動により必要に応じて壁面や床面の狭い空間域の洗浄にも適用できるようにしたものである。
【００１０】
前記本体１は、円形状の基盤１０の周端に沿わせて前記ブラシ９を取り囲む周壁１１を備え、該周壁１内に係合して組付ける前記ブラシ９の支持片１２を前記主軸８に設けてある。
【００１１】
支持片１２は、円形の主体板１２ａの周端に等間隔を存して支持部片１２ｂ，１２ｂ，１２ｂを突設して構成し、この支持片１２の平面視形とほぼ同形の中央窓孔１３を備えた係止部材１４を中央に配置したドーナツ状のブラシ基板１５の下面に無数の毛体１６，…を植設して前記ブラシ９を構成してある。
【００１２】
ブラシ９は、中央に存する前記係止部材１４に支持片１２の支持部片１２ｂに対応させて断面コ字形の係止部１４ａを備え、該係止部１４ａの内側に前記支持部片１２ｂを係合させてこれを支持させるようにして支持片１２に着脱自在に取付けたものである。
【００１３】
すなわち、ブラシ９を本体１の周壁１１内に係合させつつブラシ９側の中央窓孔１３内に本体１側の支持片１２を係合させ、前記主軸８（支持片１２）の回動方向にブラシ９を手先で回動させて該ブラシ９の係止部材１４の係止部１４ａ内に前記支持片１２の支持部片１２部を摺嵌してブラシ９を支持片１２に取付けたもので、主軸８の回動に伴って支持片１２は回動し、該支持片１２の回動方向に前記係止部１４ａの奥壁部１４ａ´が存することにより、主軸８の回動すなわち床磨き作業に伴うブラシ９の本体１乃至支持片１２に対する組付け状態が確実に維持するようにしてある。
【００１４】
なお、支持片１２は主軸８のねじ部にナット１７を螺合締付けることにより主軸８に組付けてある。
【００１５】
本体１を構成する前記周壁１１はブラシ９の前記ブラシ基板１５の周側面を套装でき、しかも、面ファスナー１８の雌雄材の一方材１８Ａを一定幅で止着できる程度の高さ幅を備えて成り、この周壁１１の外周面全域に、前記一方材１８Ａで周壁１１を巻回するようにして該一方材１８Ａを該周壁１１に止着してある。
【００１６】
一方材１８Ａの周壁１１に対する止着手段は任意ではあるが、実施例では接着手段を用いて周壁１１に止着してある。
【００１７】
図示１９は、周壁１１に設けた前記一方材１８Ａに対応する他方材１８Ｂすなわち面ファスナー１８の雌雄材１８の他方材１８Ｂを、前記一方材１８Ａに止着して前記本体１に着脱可能に取付けた飛散防止カバーで、飛散防止カバー１９は、横長帯状の弾性シート２０の内面（前記本体１に対向する側面）２０´の長手方向に沿う上端に前記他方材１８Ｂを止着（止着手段は法着手段等自由であるが実施例は接着手段を用いている）して構成したもので、他方材１８Ｂ（面ファスナー１８の）を前記一方材１８Ａの高さ幅方向の適所に止着するようにして前記本体１は勿論、ブラシ９の毛体１６，…を取り囲んで毛体１６，…の半径方向全域を套装する一方、下方が毛体１６，…より下方位置に配して毛体１６，…の長さ（高さ）方向の全域を套装するように配したものである。
【００１８】
しかして、駆動モータ５を作動させて前記の通りブラシ９を回動させ、該ブラシ９の毛体１６，…を床面に接触させつつ回動して床磨き作業を行ったとき、ブラシ９に接する洗浄液は、その回動により飛散しようとするが、飛散防止カバー１９の前記弾性シート２０による毛体１６，…の取り囲みによってそれが確実に防止されることになる。
【００１９】
従って、弾性シート２０はその下端が毛体１６，…の下端（先端）より厳密な意味で突出している必要はなく、床面に接する状態にしてあれば良い。
【００２０】
弾性シート２０は、実施例ではゴムシートを用いたが、要は、保形性があって、床面の凹凸に対して変形して追従する機能があれば良いのであって（つまり、常に原状に復帰しようとするからブラシ９の取り囲んで套装した状態を確保する）、従って、樹脂シートでも不都合なく、ゴム引布でも差し支えはない。
【００２１】
また、面ファスナー１８の雌雄材１８Ａ，１８Ｂは高さ幅（長手方向に沿う幅）が可及的に広いことが望ましく、この幅を利用して飛散防止カバー１９を本体１（周壁１１）に対して高さ方向を自在にずらせて取付けられ、このことは本体１に交換的に取付ける種々のブラシの毛体に対応して当該毛体を取り囲み、套装できることを意味する。
【図面の簡単な説明】
【００２２】
【図１】斜視図。
【図２】床磨き機の本体部の一部欠截図。
【図３】ブラシの一部の一部欠截平面図。
【図４】図３のａ−ａ線断面図。
【符号の説明】
【００２３】
１      本体
２      操作杆
９      ブラシ
１６    毛体
１８    面ファスナー
１８Ａ  一方材
１８Ｂ  他方材
１９    飛散防止カバー
２０    弾性シート
【図１】
2005118095.tif 000003
【図２】
2005118095.tif 000004
【図３】
2005118095.tif 000005
【図４】
2005118095.tif 000006